(57)【要約】【課題】  敷砂層を水平に形成する必要を無くし、また、礎版を不要とすることで、作業効率の向上を図る。【解決手段】  地盤１にジャッキ４を介して複数のＰＣ基礎梁部材１０を配設し、ジャッキ４によって配設されたＰＣ基礎梁部材１０の高さ方向の一次調整をし、この一次調整の後、これらのＰＣ基礎梁部材１０を連結し、次いで、連結されたＰＣ基礎梁部材１０に対して調整装置３１を取り付け、連結されたＰＣ基礎梁部材１０の高さ方向を二次調整して水平にし、次いで、コンクリート４５を、配設されたＰＣ基礎梁部材１０の少なくとも一部が埋まるまで打設し、打設したコンクリート４５が固化した後、調整装置３１を取り外す。【選択図】  図８
2005054436.tif 000002
【特許請求の範囲】
【請求項１】
地盤に高さ調整具を介して複数の基礎ブロックを配設し、配設された基礎ブロックの高さ及び／又は傾きを一次調整し、この一次調整の後、互いに隣接する基礎ブロックを連結し、
上記連結された基礎ブロックに対して調整装置を取り付け、上記連結された基礎ブロックの高さ及び／又は傾きの二次調整をして上面を水平にし、
次いで、コンクリートを、上記二次調整された基礎ブロックの少なくとも一部が埋まるまで上記地盤に打設し、
上記打設したコンクリートが固化した後、上記調整装置を取り外す建築物の基礎工法。
【請求項２】
上記調整装置は、上記基礎ブロックに跨るように取り付けられ、上記基礎ブロックの高さ及び／又は傾きを調整して、上記基礎ブロックの上面を水平にする請求項１記載の建築物の基礎工法。
【請求項３】
複数の基礎ブロックが地盤に配設され、互いに隣接する基礎ブロックが相対する接続面に設けられた接続部によって連結されたる建築物の基礎梁構造であって、
上記接続部は、一方の基礎ブロックの接続面に、基礎ブロックの厚さ方向に貫通した貫通孔が形成された１枚の接続片を有する差手側接続具が設けられると共に、他方の基礎ブロックの接続面に、相対向する一対の接続片を有し、この一対の接続片に軸線を一致させた貫通孔が形成された受手側接続具が設けられ、
上記受手側接続具の一対の接続片間に上記差手側接続具の接続片が挿入され、更に、相対向する一対の接続片を有し、この一対の接続片に軸線を一致させた貫通孔が形成された補強具が、上記受手側接続具の一対の接続片の外側にはめ込まれ、上記差手側接続具の貫通孔、受手側接続具の貫通孔及び補強具の貫通孔に結合部材を挿通して結合され、
上記連結された基礎ブロックの少なくとも一部が埋まるようにコンクリートが打設されてなる建築物の基礎梁構造。
【請求項４】
上記基礎ブロックは、第１の高さ調整具を介して地盤に配設される請求項３記載の建築物の基礎梁構造。
【請求項５】
上記補強具には、更に、上記基礎ブロックの相対向する接続面に、該基礎ブロックの高さ方向に設けられた溝部をつき合わせることによって構成された孔部より上面に突出するボルト部が設けられ、このボルト部には、基礎ブロックの高さ及び／又は傾きを調整する上記孔部によって位置決めされた第２の高さ調整具が取り付けられる請求項４記載の建築物の基礎梁構造。
【請求項６】
地盤に複数の基礎ブロックが高さ調整具を介して連続して配設され、これら配設された基礎ブロックの高さ及び／又は傾きの調整をする調整装置において、
上記基礎ブロックの上面から突出したボルトが挿通される挿通孔が形成されると共にナット部が少なくとも一対相対向する位置に形成される取付板と、
周囲にねじ溝が形成され、上記ナット部に挿通され、回転することによって進退する少なくとも一対の調整部材とを備え、
上記取付板は、上記ボルトが上記挿通孔に挿通されナットによって締め付けられることにより上記基礎ブロックの上面に固定され、
上記一対の調整部材は、上記基礎ブロックの高さ方向に延在されて地盤に突き当てられ、
それぞれの調整部材を回転することによって上記基礎ブロックの高さ方向に進退させ、上記基礎ブロックの高さ及び／又は傾きを調整し、上記基礎ブロックを水平にすることが可能な調整装置。
【請求項７】
上記調整部材の先端面は、上記地盤に設置された支持ブロックに突き当てられる請求項６記載の調整装置。
【請求項８】
上記取付板の上記基礎ブロックの上面と対向する面には、上記取付板の取付位置を位置決めする位置決め部が形成されている請求項３又は請求項４記載の調整装置。
【発明の詳細な説明】
【技術分野】
【０００１】
本発明は、地盤上に水平方向に連続して基礎ブロックを敷設する建築物の基礎工法、この基礎工法等で組み立てられる基礎梁構造及びこの基礎工法に用いる基礎ブロックの調整装置に関する。
【背景技術】
【０００２】
特許文献１に示すように、住宅、事務所等の建築物の布基礎の基礎部分には、工場生産のプレキャスト基礎梁部材（以下、単にＰＣ基礎梁部材という。）が使用されている。具体的に、布基礎は、先ず地表を支持層まで掘削して砂を水平に敷き均し、その上に礎版を隣接させながら水平に敷設し、その上に直方体状のＰＣ基礎梁部材を縦方向に配設し、土を埋め戻して構成される。
【０００３】
特許文献１の布基礎の工法は、下から順に積み上げる工法であり、全ての基礎となる敷砂層を水平に形成することは非常に面倒であり、時間を要するものであった。また、特許文献１の工法では、礎版とＰＣ基礎梁部材との間にグラウトを充填する必要もあり、面倒なものであった。
【０００４】
また、ＰＣ基礎梁部材同士の接続に関しては、非特許文献１がある。この非特許文献１では、差手金具を受手金具に差し込み継ぎ手ピンを挿入するようにしている。しかしながら、この継ぎ手構造は、上下方向からの外力が加わったとき、継ぎ手ピンを中心にＰＣ基礎梁部材が上下方向に移動してしまうことがある。
【０００５】
【特許文献１】特開平１０−１１４９４９号公報
【非特許文献１】登録意匠第９４８３０３号公報
【発明の開示】
【発明が解決しようとする課題】
【０００６】
本発明は、以上のような問題点に鑑みてなされたものであり、その目的は、敷砂層を精度良く水平に形成する必要を無くし、また、礎版を不要とすることで、作業効率の向上を図る建築物の基礎工法及びこの工法に用いる基礎ブロックの調整装置を提供することにある。また、本発明の目的は、互いに隣接する基礎ブロックを強固に連結することができる建築物の基礎梁構造を提供することにある。
【課題を解決するための手段】
【０００７】
本発明は、礎版を用いることなくジャッキ等の高さ調整具を介して地盤に基礎ブロックを配設し、高さ調整具等を用いて配設された基礎ブロックの高さ及び／又は傾きを一次調整し、一次調整の後、互いに隣接する基礎ブロックを連結し、この後、調整装置を用いて基礎ブロックを二次調整して水平にするものであるから、従来のような敷砂層を水平に形成する必要が無くなり、また、支持層若しくは敷砂層上に礎版を介することなく基礎ブロックを配設することができ、作業効率の向上を図ることができる。
【０００８】
すなわち、本発明に係る建築物基礎工法は、地盤に高さ調整具を介して複数の基礎ブロックを配設し、配設された基礎ブロックの高さ及び／又は傾きを一次調整し、この一次調整の後、互いに隣接する基礎ブロックを連結し、連結された基礎ブロックに対して調整装置を取り付け、連結された基礎ブロックの高さ及び／又は傾きの二次調整をして上面を水平にし、次いで、コンクリートを、二次調整された基礎ブロックの少なくとも一部が埋まるまで地盤に打設し、打設したコンクリートが固化した後、調整装置を取り外す。
【０００９】
ここで、調整装置は、基礎ブロックの両側面に跨るように取り付けられ、基礎ブロックの高さ及び／又は傾きを調整して、基礎ブロックを水平にする。
【００１０】
このような本発明に係る建築物の基礎工法に用いる基礎ブロックの調整装置は、地盤に複数の基礎ブロックが高さ調整具を介して連続して配設され、これら配設された基礎ブロックの高さ及び／又は傾きの調整をする調整装置であり、基礎ブロックの上面から突出したボルトが挿通される挿通孔が形成されると共にナット部が少なくとも一対相対向する位置に形成される取付板と、周囲にねじ溝が形成され、ナット部に挿通され、回転することによって進退する少なくとも一対の調整部材とを備える。取付板は、ボルトが挿通孔に挿通されナットによって締め付けられることにより基礎ブロックの上面に固定され、一対の調整部材は、基礎ブロックの高さ方向に延在されて地盤に突き当てられる。この調整装置は、それぞれの調整部材を回転することによって上記基礎ブロックの高さ方向に進退させ、上記基礎ブロックの高さ及び／又は傾きを調整し、上記基礎ブロックを水平にすることを可能とする。
【００１１】
この調整部材の先端部は、基礎ブロックを水平にする際の基準がぶれないようにするため、地盤に設置された支持ブロックに突き当てられるようにしてもよい。また、取付板は、基礎ブロックに対する位置決めを容易にするため位置決め部を設けるようにしてもよい。
【００１２】
以上のような工法によって組み立てられた本発明に係る基礎梁構造は、複数の基礎ブロックが地盤に配設され、互いに隣接する基礎ブロックが相対する接続面に設けられた接続部によって連結されたる建築物の基礎梁構造であって、接続部は、一方の基礎ブロックの接続面に、基礎ブロックの厚さ方向に貫通した貫通孔が形成された１枚の接続片を有する差手側接続具が設けられると共に、他方の基礎ブロックの接続面に、相対向する一対の接続片を有し、この一対の接続片に軸線を一致させた貫通孔が形成された受手側接続具が設けられ、受手側接続具の一対の接続片間に差手側接続具の接続片が挿入され、更に、相対向する一対の接続片を有し、この一対の接続片に軸線を一致させた貫通孔が形成された補強具が、受手側接続具の一対の接続片の外側にはめ込まれ、差手側接続具の貫通孔、受手側接続具の貫通孔及び補強具の貫通孔に結合部材を挿通して結合され、連結された基礎ブロックの少なくとも一部が埋まるようにコンクリートが打設されてなる。この基礎梁構造では、補強具が、差し手側接続具が差し込まれた受け手側接続具の外側から更に取り付けられ結合部材によって結合されるものであるから、結合力を高めることができる。
【００１３】
連結される各基礎ブロックは、地盤に、ジャッキ等の第１の高さ調整具を介して配設される。また、補強具は、基礎ブロックの高さ調整をするための高さ調整具が取り付けられるボルト部が設けられ、このボルト部は、基礎ブロックの境界部において、調整具が取付可能なように基礎ブロックの上面に突出される。
【発明の効果】
【００１４】
本発明によれば、地盤と離間するようにジャッキ等の高さ調整具に基礎ブロックを取り付け、高さ調整具等を用いて配設された基礎ブロックの高さ及び／又は傾きを一次調整し一次調整の後、互いに隣接する基礎ブロックを連結し、本発明に係る調整装置を用いて基礎ブロックの高さや傾きを二次調整し、コンクリートを打設するものである。すなわち、基礎ブロック配設後に基礎ブロックを水平になるように調整し、この後、コンクリートを打設して固定するものであるから、従来のような敷砂層を水平に形成に形成する必要が無くなり、また、支持層若しくは敷砂層上に礎版を介することなく基礎ブロックを配設することができ、作業効率の向上を図ることができる。また、補強具が、差手側接続具が差し込まれた受け側接続具の外側から更に取り付けられ結合部材によって結合されるものであるから、結合力を高めることができる。
【発明を実施するための最良の形態】
【００１５】
以下、本発明を適用した建築物の基礎工法を図面を参照して説明する。
【００１６】
本発明に係る建築物の基礎工法は、住宅、事務所等の建築物のべた基礎に適用することができる。図１に示すように、建築物のべた基礎を設ける領域には、先ず、基礎を設けるための地盤１が設けられる。この地盤１は、例えば地表を掘削して締固した支持層や、場合によっては、この支持層に、敷砂層を設け、敷砂層を締固して形成される。なお、図１では、敷砂層２を設けた例を示している。べた基礎を設ける際の基礎となるこれらの地盤１は、ＰＣ基礎梁部材１０を、ジャッキ等の高さ調整具や本発明を適用した調整装置を用いて水平にすることから、従来ほど正確に水平に形成する必要はなく、地盤１を造成する際の作業を簡素化することができる。
【００１７】
この地盤１上には、べた基礎を構成するＰＣ基礎梁部材１０が配設される。ＰＣ基礎梁部材１０は、建築物の基礎ブロックであり、地盤１の所定の設置位置に、クレーン等の巻上げ装置３を用いて移送され縦置きされる。このとき、ＰＣ基礎梁部材１０は、底面部が据え付けジャッキ等の高さ調整具４に固定される。すなわち、ＰＣ基礎梁部材１０の底面部と地盤１との間には、ＰＣ基礎梁部材１０の高さや傾きを調整するための間隙がジャッキ等の高さ調整具４により形成されることになる。このとき、ＰＣ基礎梁部材１０は、一次調整として、クレーン等の巻上げ装置３により設置方向の調整が行われ、更に、巻上げ装置３や高さ調整具４によって設置位置における高さ調整がされる。具体的に、一次調整は、ＰＣ基礎梁部材１０の上面部に水平器を用いて調整が行われる。一次調整終了の後、ＰＣ基礎梁部材１０からは、クレーン等の巻上げ装置３のワイヤ５が取り外される。
【００１８】
ここで、ＰＣ基礎梁部材１０について説明すると、このＰＣ基礎梁部材１０は、横鉄筋、縦鉄筋等の複数の鉄筋を型枠にセッティングしてコンクリートを充填して成形される略矩形、略Ｌ字状、Ｔ字状、十字状等の形状をなすコンクリートブロックである。図２に示すように、横鉄筋の先端部は、凹部１９より外部に露出し、他のＰＣ基礎梁部材１０と接続するための接続具２２，２３を取り付けるためのボルト部１１となっている。また、上面部は、縦置きされた際の頂面であり、この上面部は、建築物の土台が置かれる基準面となり、ＰＣ基礎梁部材１０の高さや傾きを調整することにより水平にされる。また、ＰＣ基礎梁部材１０の上面部は、互いに隣接するＰＣ基礎梁部材１０と連結されたとき面一となるように調整される。
【００１９】
ＰＣ基礎梁部材１０の上面部には、複数の凹部１２が設けられている。ＰＣ基礎梁部材１０の上面部は、建築物の土台が設置される面であり、凹部１２は、土台との間に通気口を形成する。更に、上面部には、クレーン等の巻上げ装置４で吊り下げる際にワイヤ５が係止される係止部１３が設けられている。
【００２０】
図２に示すように、ＰＣ基礎梁部材１０には、他のＰＣ基礎梁部材１０と接続するための接続具２２，２３が取り付けられる。ＰＣ基礎梁部材１０同士の接続が行われる接続部２１は、ここでは、互いに対向する接続面の上下２カ所である。なお、接続部２１の数は、２カ所に限定されるものではなく、１カ所であってもよく、また、上、中央、下の３カ所であってもよく、更に、４カ所以上であってもよい。
【００２１】
上側の接続部２１ａは、一方のＰＣ基礎梁部材１０の接続面に設けられる差手側接続具２２と、他方のＰＣ基礎梁部材１０の接続面に設けられる受手側接続具２３とで構成されている。これら接続具２２，２３は、ＰＣ基礎梁部材１０の接続面の凹部１９より露出したボルト部１１に取り付けられる。
【００２２】
ボルト部１１は、ＰＣ基礎梁部材１０の接続面の厚さ方向略中央に、ＰＣ基礎梁部材１０の上面部から底面部に亘って設けられた溝部１８の底部に更に設けられた凹部１９から外部に露出している。この凹部１９は、接続具２２，２３のナット部２２ａ，２３ａをボルト部１９に取り付ける際、ナット部２２ａ，２３ａを回転することができるようにするための空間部である。
【００２３】
差手側のＰＣ基礎梁部材１０に取り付けられる差手側接続具２２は、１枚の接続片２２ｃを有すると共に、この接続片２２ｃと一体的にボルト部１１に螺合されるナット部２２ａが形成されている。また、接続片２２ｃには、ボルト等の結合部材が挿通される貫通孔２２ｂが形成されている。また、受手側のＰＣ基礎梁部材１０に取り付けられる受手側接続具２３は、略コ字状に形成され、相対向する接続片２３ｃの略中央にボルト等の結合部材が挿通される貫通孔２３ｂ，２３ｂが軸線を一致させて形成され、更に相対向する接続片２３ｃの連結部に、ボルト部１１に螺合されるナット部２３ａが一体的に形成されている。図２に示すように、差手側接続具２２は、差手側ＰＣ基礎梁部材１０の接続面の凹部１９より外部に露出したボルト部１１にナット部２２ａが螺合されることにより取り付けられ、受手側接続具２３は、受手側ＰＣ基礎梁部材１０の接続面の凹部１９より外部に露出したボルト部１１にナット部２３ｂが螺合されることにより取り付けられる。
【００２４】
なお、下側の接続部２１ｂも、上側の接続部２１ａと同様な構成を有するため説明は省略する。また、以上の例では、接続具２２，２３をボルト部１１に後付けする例を説明したが、接続具２２，２３は、ＰＣ基礎梁部材１０に予め一体的に、すなわち埋設するように設けられていてもよい。
【００２５】
次に、接続具２２，２３が取り付けられた受手側ＰＣ基礎梁部材１０と差手側ＰＣ基礎梁部材１０との接続方法について説明する。上側の接続部２１ａは、図３に示すように、受手側接続具２３の相対向する接続片２３ｃの間に、差手側の１枚の接続具２２の接続片２２ｃが差し込まれる。受手側接続具２３に差手側接続具２２が組み込まれると、上側接続部２１ａには、本発明を適用した調整装置を取り付けるための取付具２６が取り付けられる。取付具２６は、略コ字状の取付部２６ａと、取付部２６ａに一体的に設けられＰＣ基礎梁部材１０の上面部に突出する突出部となるボルト部２６ｂとから構成され、更に取付部２６ａには、相対向する接続片２６ｄに軸線を一致させて貫通孔２６ｃが形成されている。取付具２６は、差手側接続具２２が組み込まれた受手側接続具２３の外側に、ボルト部２６ｂを上側にして取り付けられる。受手側接続具２３の貫通孔２３ｂ、差手側接続具２２の貫通孔２２ｂ及び取付具の貫通孔２６ｃの軸線を一致させると、これらの貫通孔２２ｂ，２３ｂ，２６ｃには、結合部材となるボルト２７が挿通され、このボルト２７の先端部には、ボルト２７と共に結合部材となるナット２８が締め付けられる。
【００２６】
なお、上側の接続部２１ａの貫通孔２２ｂ，２３ｂ，２６ｃに挿通される結合部材としては、図５に示すように、結合作業を容易にするためボルト及びナットの他、周面にネジ溝が形成されていない継ぎ手ピン２５を単に挿通するだけでもよい。
【００２７】
また、下側の接続部２１ｂは、図４に示すように、受手側接続具２３の相対向する接続片間に、差手側接続具２２が差し込まれる。受手側接続具２３の貫通孔２３ｂ及び差手側接続具２２の貫通孔２２ｂの軸線を一致させると、これらの貫通孔２２ｂ，２３ｂには、結合部材となるボルト２７が挿通され、このボルト２７の先端部には、ボルト２７と共に結合部材となるナット２８が締め付けられる。
【００２８】
なお、下側の接続部２１ｂの貫通孔２２ｂ，２３ｂに挿通される結合部材としても、図５に示すように、結合作業を容易にするため上側の接続部２１ａと同様に、周面にネジ溝が形成されていない継ぎ手ピン２５を単に挿通するだけでもよい。
【００２９】
ボルト２７やナット２８の締め付け操作は、ＰＣ基礎梁部材１０の厚さ方向に形成された操作溝３０よりドライバ等の締め付け具を挿入して行われる。
【００３０】
かくして、受手側ＰＣ基礎梁部材１０と差手側ＰＣ基礎梁部材１０とは接続されることになるが、ここでは、後述するＰＣ基礎梁部材１０の高さや傾きの二次調整をするため、ボルト２７に対してナット２８を完全に締め付けるのではなく、ある程度がたつきを有するようにボルト２７にナット２８が取り付けられる。
【００３１】
図６に示すように、受手側ＰＣ基礎梁部材１０と差手側ＰＣ基礎梁部材１０とが接続されると、ＰＣ基礎梁部材１０の上面部の接続部分には、受手側ＰＣ基礎梁部材１０の接続面に設けられた溝部１８と差手側ＰＣ基礎梁部材１０の接続面に設けられた溝部１８とが付き合わされることにより、非円形の、ここでは略六角形の位置決め孔２９が構成される。この位置決め孔２９は、後述する本発明を適用した調整装置３１の取付位置、方向、回転を規制するものであり、この位置決め孔２９より取付具２６のボルト部２６ｂがＰＣ基礎梁部材１０の上面部より突出するようにして外部に露出される。勿論、位置決め孔２９は、調整装置３１の設置方向を規制せず、位置のみを規制するだけでよいときには、円形であってもよい。
【００３２】
ＰＣ基礎梁部材１０の上面部の位置決め孔２９より露出したボルト部２６ｂに取り付けられる本発明を適用した調整装置３１は、図７に示すように、金属板等で形成された取付板３２と、この取付板３２に取り付けられる一対の調整部材３３，３３とで構成されている。取付板３２は、ＰＣ基礎梁部材１０の上面部に取り付けられるものであり、中央部に、ＰＣ基礎梁部材１０から突出したボルト部２６ｂが挿通される挿通孔３４が形成されている。また、取付板３２には、ＰＣ基礎梁部材１０の上面部に接する側の面に、位置決め突部３５が形成されている。位置決め突部３５は、挿通孔３４を囲むような非円形の連続又は非連続の突部であり、ＰＣ基礎梁部材１０の接続部分に形成された位置決め孔２９に嵌合するように位置決め孔２９と同形状に形成されている。
【００３３】
取付板３２には、相対向する両側縁部に、調整部材３３，３３を支持するための支持部３６，３６が設けられている。支持部３６，３６は、取付板３２に溶接等により一体的に取り付けられ、取付板３２に対して垂直な方向に延在され、上側に、ナット部３７，３７が形成され、下側に、調整部材３３，３３の進退をガイドする挿通孔のガイド部３８，３８が形成されている。
【００３４】
調整部材３３，３３は、ボルトであり、周面に、ねじ溝が形成されている。調整部材３３は、ナット部３７，３７に螺合され、更にガイド部３８，３８に挿通され、回転操作されることによって進退する。調整部材３３，３３は、先端部が地盤１に突き当てられる突き当て部３３ａとなり、基端側が回転操作する際の操作部３３ｂとなる。
【００３５】
なお、調整部材３３，３３は、それぞれがＰＣ基礎梁部材１０の高さに進退するものであるから、少なくともＰＣ基礎梁部材１０の両側面部に一つずつ延在されればよく、従って、調整部材３３の数は、３本以上であってもよい。また、調整部材３３を３本以上使用するとき、ＰＣ基礎梁部材１０の各面に延在される調整部材３３の本数は、同じであってもよく、また、異なっていてもよい。
【００３６】
以上のように構成された調整装置３１は、図８に示すように、ＰＣ基礎梁部材１０の接続部分において、ＰＣ基礎梁部材１０を厚さ方向に跨ぐようにし、ＰＣ基礎梁部材１０の接続部分の位置決め孔２９に位置決め突部３５を嵌合して位置決めをすると共に、ＰＣ基礎梁部材１０より突出したボルト部２６ｂを挿通孔３４に挿通して取り付けられる。なお、取付板３２の位置決めは、ＰＣ基礎梁部材１０側を凸とし、取付板３２側を凹として行うようにしてもよい。この後、ボルト部２６ｂの先端部には、ナット３９が締め付けられる。そして、各調整部材３３，３３は、回転操作されることによって、先端側の突き当て部３３ａが地盤１に突き当てられる。
【００３７】
このとき、取付板３２は、ＰＣ基礎梁部材１０の上面部において固定されていることから、調整部材３３，３３の先端部には、ＰＣ基礎梁部材１０の荷重が全て又は多く加わる。したがって、調整部材３３，３３の先端部は、そのまま地盤１に当接されると、ＰＣ基礎梁部材１０の重さにより地盤１に食い込むおそれがある。そこで、地盤１には、断面略台形をなす支持ブロック４１が置かれ、この支持ブロック４１の上面に、調整部材３３，３３の先端部が当接される。支持ブロック４１は、断面略台形に形成され、面積の大きい面を底面として用いることで、ＰＣ基礎梁部材１０から荷重が加わったとしても、地盤１に沈み込まないようになっている。なお、支持ブロック４１は、地盤１とＰＣ基礎梁部材１０の底面部との間隙が大きくなり過ぎないように、調整部材３３，３３の先端部が当接される上面が地盤１と略面一をなすように地盤１に埋設されるようにしてもよい。
【００３８】
調整装置３１のＰＣ基礎梁部材１０への取付が完了すると、次いで、ＰＣ基礎梁部材１０を水平に設置するための二次調整を行う。二次調整は、一次調整と同様に水平器を用いて行い、それぞれの調整部材３３を正転又は逆転方向に回転し、ＰＣ基礎梁部材１０の高さ方向に進退させることによって、各ＰＣ基礎梁部材１０の高さや傾きを調整する。互いに隣接するＰＣ基礎梁部材１０，１０は、接続部２１ａ，２１ｂによって完全に締め付けられておらず、ある程度のがたつきを有する状態にある。したがって、ここでは、個々のＰＣ基礎梁部材１０の高さや傾きを調整し、連続した複数のＰＣ基礎梁部材１０の上面部を水平にすると共に面一にする。
【００３９】
各ＰＣ基礎梁部材１０の高さや傾きが調整され二次調整が終了すると、互いに隣接するＰＣ基礎梁部材１０を接続する接続部２１ａ，２１ｂを構成するナット２８を締め付け、互いに隣接するＰＣ基礎梁部材１０の本接続をする。すなわち、ナット２８を完全に締め付け、接続を強固にする。なお、この二次調整は、ジャッキ等の高さ調整具４を更に用いて、調整装置３１との組み合わせで行うようにしてもよい。また、上述した継ぎ手ピン２５を用いるときには、ナット２８の締め付け作業は不要となる。
【００４０】
ＰＣ基礎梁部材１０は、図１に示すように、ジャッキ等の高さ調整具４によって支持されていることから、地盤１との間に間隙があり、この間隙には、閉塞するように木板等で形成された型板が取り付けられ、この後、ＰＣ基礎梁部材１０に囲まれた領域には、コンクリート４５が打設される。
【００４１】
ここで、コンクリート４５は、ＰＣ基礎梁部材１０を全て埋設するのではなく、ＰＣ基礎梁部材１０を十分な強度で支持できればよいことから、下側が埋没する程度の量が打設される。また、このコンクリート４５の量は、調整装置３１の支持部３６，３６にも当たらない量とされる。
【００４２】
打設したコンクリートが固化すると、次いで、調整装置３１は、再利用のため、ＰＣ基礎梁部材１０より取り外される。先ず、ナット３９がボルト部２６ｂより取り外され、次いで、ボルトとして機能する調整部材３３，３３を回転することによって引き抜かれる。調整部材３３，３３は、ねじの作用により、比較的容易に固化したコンクリート４５より引き抜くことができる。
【００４３】
以上のような建築物の基礎工法では、ＰＣ基礎梁部材１０を、調整装置３１を用いて高さや傾きを調整し建築物の基礎となるＰＣ基礎梁部材１０の上面部を水平に調整することから、地盤１を従来のように、砂を正確に水平に敷き均しする必要が無くなり、工程の簡素化を図り、作業効率の向上を図ることができる。また、この基礎工法では、従来のように礎版を用いる必要が無くなることから、工程の簡素化を図ることができると共に、部品点数の削減を図ることができる。
【００４４】
また、調整装置３１は、ＰＣ基礎梁部材１０の高さや傾きを調整する際、それぞれの調整部材３３，３３を回転することにより、ＰＣ基礎梁部材１０の高さ方向に進退することができ、建築物の基礎となるＰＣ基礎梁部材１０の上面部を容易且つ迅速に水平となるように調整することができる。また、この調整装置３１は、打設したコンクリートが固化した後、取り外すことから再利用が可能である。
【００４５】
更に、ＰＣ基礎梁部材１０同士の接続は、上述の図３及び図４に示した接続部２１ａ，２１ｂによって行われる。上側接続部２１ａも下側接続部２１ｂも、略コ字状の受手側接続具２３に差手側接続具２２を差し込むものであるから、ＰＣ基礎梁部材１０の厚さ方向、すなわち横向きの外力に対しても強くすることができ、更に、上側接続部２１ａは、略コ字状の取付具２６が差手側接続具２２が差し込まれた受手側接続具２３を上側から覆うように取り付けられることから、更に横方向に外力に対して強く、また、縦方向の外力に対しても強くすることができる。すなわち、この取付具２６は、互いに隣接するＰＣ基礎梁部材１０の接続部２１の補強具としても機能する。
【００４６】
以上の説明では、布基礎を設けていた場合に本発明を適用した例を説明したが、本発明は、これに限定されるものではなく、例えば特開２０００−１４４７５９に記載された「布基礎」を設ける場合にも適用することができる。
【図面の簡単な説明】
【００４７】
【図１】ＰＣ基礎梁部材が地盤に設置された状態を示す図である。
【図２】隣接するＰＣ基礎梁部材を接続する接続部を説明する分解斜視図である。
【図３】ＰＣ基礎梁部材の接続面の上側を接続する接続部を説明する斜視図である。
【図４】ＰＣ基礎梁部材の接続面の下側を接続する接続部を説明する斜視図である。
【図５】結合部材の他の例を説明する斜視図である。
【図６】接続されたＰＣ基礎梁部材を説明する斜視図である。
【図７】ＰＣ基礎梁部材の傾き等を調整する調整装置の斜視図である。
【図８】調整装置がＰＣ基礎梁部材に取り付けられた状態を示す斜視図である。
【符号の説明】
【００４８】
１  地盤、１０  ＰＣ基礎梁部材、２１ａ，２１ｂ  接続部、２２  差手側接続具、２３  受手側接続具、２６  取付具、２６ｂ  ボルト部、２７  ボルト、２８  ナット、２９  位置決め孔、３１  調整装置、３２  取付板、３３  調整部材、３４  挿通孔、３５  位置決め突部、３６  支持部、３７  ナット部、３８  ガイド部、３９  ナット、４１  支持ブロック、４５  コンクリート
【図１】
2005054436.tif 000003
【図２】
2005054436.tif 000004
【図３】
2005054436.tif 000005
【図４】
2005054436.tif 000006
【図５】
2005054436.tif 000007
【図６】
2005054436.tif 000008
【図７】
2005054436.tif 000009
【図８】
2005054436.tif 000010